(57)【要約】      （修正有）【課題】洗浄水によるボウルの外部への飛び出しや周囲への飛び散りを効果的に抑制することができ、特に、ボウル面の後方領域における洗浄性能を向上させることができる水洗大便器を提供する。【解決手段】本発明の水洗大便器は、ボウルと、洗浄水を吐水してボウル面に旋回流を形成する吐水部と、を有し、ボウル面は、棚の外縁とリムの下縁１８ａとの間を曲面Ｓ６にて連結する連結面３２を備えており、ボウル面における前後及び左右の両端を含む周方向の領域の連結面の曲面の上下方向の曲率半径ρ２はほぼ同一に設定され、第１連結面は、ボウル面における前方領域及び左右の両端を含む左右側方領域において互いにほぼ同一の第１高さ位置に設けられ、第２連結面３２は、ボウル面における後方領域において第１高さ位置よりも低い第２高さ位置Ｈ２に設けられている。【選択図】図６Ｂ
2019173324.tif 000002
【特許請求の範囲】
【請求項１】
洗浄水源から供給される洗浄水によって洗浄されて汚物を排出する水洗大便器であって、
上縁に形成されるリムと、汚物を受ける汚物受け面と、この汚物受け面と上記リムとの間に形成される棚と、を備え、ボウル形状のボウル面を形成すると共にその下方に溜水部を形成するボウルと、
このボウルの下方に接続されて汚物を排出する排水路と、
上記リムに設けられて上記棚に洗浄水を吐水して上記ボウル面に旋回流を形成する吐水部と、を有し、
上記ボウル面は、上記棚の外縁と上記リムの下縁との間を曲面にて連結する連結面を備えており、
上記連結面は、上記ボウル面における前後及び左右の両端を含む周方向の領域において、上記連結面の曲面の上下方向の曲率半径がほぼ同一に設定されており、
上記連結面は、上記ボウル面における前方領域及び左右の両端を含む左右側方領域において互いにほぼ同一の第１高さ位置に設けられた第１連結面と、上記ボウル面における後方領域において上記第１高さ位置よりも低い第２高さ位置に設けられた第２連結面と、を備えていることを特徴とする水洗大便器。
【請求項２】
上記第１連結面の下端は、上記ボウル面における前方領域及び左右側方領域に亘って上記リムの上面に対して所定距離下方のほぼ同一の高さ位置に設けられ、上記第２連結面の下端は、上記第１連結面の下端よりも低い高さ位置に設けられている請求項１記載の水洗大便器。
【請求項３】
上記第２連結面の下端の高さ位置は、上記ボウル面の後方領域内の左右方向のほぼ中央の領域において、最も低い高さ位置に設定されている請求項２記載の水洗大便器。
【請求項４】
上記第２連結面の高さ位置は、上記ボウル面の後方領域において周方向に沿って連続的に変化するように設定されている請求項３記載の水洗大便器。
【請求項５】
上記リムは、その内周面が上記第１連結面の上端から上記リムの上面まで立ち上がるように形成された第１立壁面と、上記リムの内周面が上記第２連結面の上端から上記リムの上面まで立ち上がるように形成された第２立壁面と、を備え、
上記第１立壁面の下端から上端までの鉛直方向の第１距離は、上記ボウル面の前方領域及び左右側方領域に亘ってほぼ同一に設定されており、
上記ボウル面の後方領域における上記第２立壁面の下端から上端までの鉛直方向の第２距離は、上記第１距離よりも大きく設定されている請求項１乃至４の何れか１項に記載の水洗大便器。
【請求項６】
上記吐水部は、上記ボウル面の前後方向に延びる中心軸線に対して一方側の側方領域から上記前方領域に変化する領域付近に配置された第１吐水口と、上記ボウル面の前後方向に延びる中心軸線に対して他方側の側方領域から上記後方領域に変化する領域付近に配置された第２吐水口と、を備えている請求項１乃至５の何れか１項に記載の水洗大便器。
【請求項７】
上記第１連結面の下端と上記第２連結面の下端との間における鉛直方向の距離は、３ｍｍ〜１５ｍｍに設定されている請求項１乃至６の何れか１項に記載の水洗大便器。
【発明の詳細な説明】
【技術分野】
【０００１】
本発明は、水洗大便器に係り、特に、洗浄水源から供給される洗浄水によって洗浄されて汚物を排出する水洗大便器に関する。
【背景技術】
【０００２】
従来から、洗浄水源から供給される洗浄水によって洗浄されて汚物を排出する従来の水洗大便器として、例えば、特許文献１〜３に記載されているものが知られている。
まず、特許文献１、２に記載されている従来の水洗大便器においては、便器本体の後方且つ上方に設けられた洗浄水タンクの洗浄水が、ディストリビュータを介して複数の給水口からボウル後方の給水空間内に供給されるようになっている。そして、ボウルのリムの内周面の後側領域における左右方向中央よりも左側領域には吐水口が設けられており、ボウル後方の給水空間内の洗浄水は、吐水口から前方に向かって吐水されるようになっている。また、吐水口から前方に向かって吐水された洗浄水は、ボウルの棚面の外縁、リムの内壁面の下端、及び、これらのボウルの棚面の外縁とリムの内壁面の下端との連結面に接する旋回流を形成するようになっている。
さらに、上述した特許文献１に記載されている従来の水洗大便器では、ボウルの棚面の外縁とリムの内壁面の下端との連結面における前側領域及び後側領域が、この連結面の左右両側領域よりも低い位置に設定されている。これにより、ボウルの前側領域及び後側領域におけるリムの上端面と洗浄水の旋回経路との高低差が、ボウルの左右両側領域に比べて大きくなるため、洗浄水の上方への飛び散りが抑制されるようになっている。
また、上述した特許文献２に記載されている従来の水洗大便器では、ボウルの棚の外周縁とリムの内壁面（立壁面）の下端縁とを連結する連結面において、その曲面の上下方向の曲率半径がボウルの前側領域の左右中央で最大となり、左右両側に向けて徐々に小さくなっている。また、連結面の曲面の上下方向の弧の中点の高さ位置については、ボウルの前側領域の左右中央で最も低くなっている。これらにより、ボウルの前側領域の左右中央部の曲面に対して小便がぶつかった場合に小便を流れやすくすることができ、立壁面と連結面との境界部分に小便が滞留することを抑制することができるようになっている。
つぎに、特許文献３に記載されている従来の水洗大便器では、リムに設けられて棚に洗浄水を吐水してボウル面に旋回流を形成すると共にその吐水方向が便器前方方向であるリム吐水部と、汚物受け面の側面に形成されて溜水を上下方向に攪拌するゼット吐水部とを備えている。さらに、ボウルの汚物受け面には、ボウルの前方側から排水トラップ管路の入口に向けて延びる側壁及び底面を備えた凹部が形成され、リム吐水部から吐水された洗浄水は、凹部の側壁に衝突することにより排水トラップ管路の入口に向かって流れるようになっている。
【先行技術文献】
【特許文献】
【０００３】
【特許文献１】特開２０１６−４１８８１号公報
【特許文献２】特開２０１６−４１８７９号公報
【特許文献３】特開２０１２−２２９６１２号公報
【発明の概要】
【発明が解決しようとする課題】
【０００４】
しかしながら、上述した特許文献１、２に記載されている従来の水洗大便器においては、例えば、旋回経路のうちの平面視の曲率半径が小さいボウルの前側領域の上流側近傍等に吐水口が設けられた場合には、吐水直後の洗浄水が、連結面の左右一方側の領域から、この領域よりも低い位置の前側領域に向かって加速しながら勢い良く降下することになる。そして、このように勢いを増して連結面の前側領域を通過した洗浄水が、連結面の左右他方側の領域に向かって上昇した際に跳ね上がることにより、ボウルの外部へ飛び出したり、周囲へ飛び散ったりするおそれがあるという問題がある。
したがって、上述した特許文献１、２に記載された従来の水洗大便器のように、たとえ連結面における前側領域が左右両側領域よりも低い位置に設定され、リムの上端面と洗浄水の旋回経路との高低差が大きく設定されていたとしても、吐水口の配置次第によっては、ボウルの外部への飛び出しや周囲への飛び散りを抑制することが難しいという問題がある。
また、上述した特許文献２に記載された従来の水洗大便器のように、ボウルの棚の外周縁とリムの内壁面（立壁面）の下端縁とを連結する連結面において、その曲面の上下方向の曲率半径がボウルの前側領域の左右中央で最大に設定され、左右両側に向けて徐々に小さく設定されたとしても、吐水口の配置次第によっては、ボウルの外部への飛び出しや周囲への飛び散りを抑制することが難しいという問題がある。
同様に、上述した特許文献３に記載されている従来の水洗大便器においても、例えば、旋回経路のうちの平面視の曲率半径が小さいボウルの前側領域の上流側近傍等に吐水口が設けられた場合には、吐水直後の洗浄水が、ボウルの前側領域の凹部を通過する際には、吐水口よりも低い凹部の底面に向かって加速しながら勢い良く降下する。そして、この勢いを増した洗浄水は、凹部の底面を勢い良く上昇して跳ね上がることによりボウルの外部へ飛び出したり、或いは、凹部の側壁に勢い良く衝突することにより、周囲へ飛び散ったりするおそれがあるという問題がある。
よって、上述した特許文献３に記載されている従来の水洗大便器においても、吐水口の配置次第によっては、ボウルの外部への飛び出しや周囲への飛び散りを抑制することが難しいという問題がある。
さらに、これらのボウルの外部への飛び出しや周囲への飛び散りを抑制することができない場合には、洗浄水の流れのエネルギーロスにもつながるため、本来の便器の洗浄すべき箇所に対して十分な洗浄を行うことができず、ボウル面に不洗浄部分を残してしまうという問題がある。
ボウル面の中でも、特に、汚物受け面の後方領域等については、汚物が付着しやすい箇所ではあるが、このような汚物が付着しやすい箇所に対して、洗浄水が水勢の弱められた状態で供給されてしまうと、汚物受け面の後方領域の汚物を十分に洗い流すことができずに汚物が残存してしまい、洗浄水による洗浄性能が低下するという問題が生ずる。
したがって、汚物が付着しやすい汚物受け面等のボウル面の後方領域について、いかに確実に洗浄を行い、洗浄性能を向上させるかが、従来から要請された課題となっている。
【０００５】
そこで、本発明は、上述した従来技術の課題を解決するためになされたものであり、洗浄水によるボウルの外部への飛び出しや周囲への飛び散りを効果的に抑制することができ、特に、ボウル面の後方領域における洗浄性能を向上させることができる水洗大便器を提供することを目的としている。
【課題を解決するための手段】
【０００６】
上述した課題を解決するために、本発明は、洗浄水源から供給される洗浄水によって洗浄されて汚物を排出する水洗大便器であって、上縁に形成されるリムと、汚物を受ける汚物受け面と、この汚物受け面と上記リムとの間に形成される棚と、を備え、ボウル形状のボウル面を形成すると共にその下方に溜水部を形成するボウルと、このボウルの下方に接続されて汚物を排出する排水路と、上記リムに設けられて上記棚に洗浄水を吐水して上記ボウル面に旋回流を形成する吐水部と、を有し、上記ボウル面は、上記棚の外縁と上記リムの下縁との間を曲面にて連結する連結面を備えており、上記連結面は、上記ボウル面における前後及び左右の両端を含む周方向の領域において、上記連結面の曲面の上下方向の曲率半径がほぼ同一に設定されており、上記連結面は、上記ボウル面における前方領域及び左右の両端を含む左右側方領域において互いにほぼ同一の第１高さ位置に設けられた第１連結面と、上記ボウル面における後方領域において上記第１高さ位置よりも低い第２高さ位置に設けられた第２連結面と、を備えていることを特徴としている。
このように構成された本発明においては、吐水部から吐水された洗浄水は棚上に沿って流れて旋回流を形成する。この際、ボウル面が、棚の外縁とリムの下縁との間を曲面にて連結する連結面を備えており、ボウル面における前後及び左右の両端を含む周方向の領域において、この連結面の曲面の上下方向の曲率半径がほぼ同一に設定されている。これにより、棚形状のばらつき等によって洗浄水が飛び散ることを抑制し、且つ洗浄水のエネルギー損失を抑制することができる。
さらに、連結面の第１連結面が、ボウル面における前方領域及び左右の両端を含む左右側方領域において互いにほぼ同一の第１高さ位置に設けられており、連結面の第２連結面が、ボウル面における後方領域において第１連結面の第１高さ位置よりも低い第２高さ位置に設けられている。
これにより、ボウル面の前方領域及び左右側方領域における棚、第１連結面、及び、リムに沿って周方向に旋回する洗浄水は、ボウル面の後方領域に流入した際、ボウル面の後方領域における棚面、第２連結面、及び、リムの内周面に沿って流れることにより、高いエネルギー状態のままでボウル面の下方の溜水部に向けて後方側から勢い良く流下することができる。
したがって、汚物が付着しやすいボウル面の後方領域においても確実に洗浄することができる。
【０００７】
本発明において、好ましくは、上記第１連結面の下端は、上記ボウル面における前方領域及び左右側方領域に亘って上記リムの上面に対して所定距離下方のほぼ同一の高さ位置に設けられ、上記第２連結面の下端は、上記第１連結面の下端よりも低い高さ位置に設けられている。
このように構成された本発明においては、ボウル面における前方領域及び左右側方領域のそれぞれの第１連結面の下端が、互いにリムの上面に対して所定距離下方の同一の高さ位置に設けられているため、ボウル面における前方領域及び左右側方領域の第１連結面に沿って旋回する洗浄水のエネルギー損失を抑制することができる。
また、ボウル面の後方領域における第２連結面の下端がボウル面における前方領域及び左右側方領域の第１連結面の下端よりも低い高さ位置に設けられているため、ボウル面の後方領域の第２連結面付近を流れる洗浄水の水撥ねを抑制しながら、エネルギーロスを抑制することができる。
【０００８】
本発明において、好ましくは、上記第２連結面の下端の高さ位置は、上記ボウル面の後方領域内の左右方向のほぼ中央の領域において、最も低い高さ位置に設定されている。
このように構成された本発明においては、ボウル面の後方領域の第２連結面の下端の高さ位置について、ボウル面の後方領域内の左右方向のほぼ中央の領域が最も低い高さ位置に設定されているため、ボウル面の後方領域の棚上を流れる洗浄水は、ボウル面の後方領域内の左右方向のほぼ中央の領域付近からボウル面の下方の溜水部にスムーズに導かれた後、排水路内に流れ込むことができる。
これにより、汚物が付着しやすいボウル面の後方領域内の左右方向のほぼ中央の領域付近について集中的に洗浄することができるため、ボウル面の後方領域内の洗浄性能を向上させることができる。
加えて、ボウル面の後方領域内を流れる高いエネルギー状態の洗浄水を溜水部内に後方側から勢い良く流入させることができるため、排水路への汚物排出性能を向上させることができる。
【０００９】
本発明において、好ましくは、上記第２連結面の高さ位置は、上記ボウル面の後方領域において周方向に沿って連続的に変化するように設定されている。
このように構成された本発明においては、ボウル面の後方領域における第２連結面の高さ位置がボウル面の後方領域の周方向に沿って連続的に変化するように設定されていることにより、第２連結面の高さ位置がボウル面の後方領域内の一方側から周方向に沿って左右方向のほぼ中央の領域付近まで徐々に変化しながら下降し、その後、ボウル面の後方領域内の他方側に向かって徐々に上昇することができる。
したがって、第２連結面の高さ位置の急激な変化を抑制することができるため、ボウル面の後方領域における第２連結面付近を流れる洗浄水の水撥ねやそれに伴うエネルギーロスを抑制することができる。
【００１０】
本発明において、好ましくは、上記リムは、その内周面が上記第１連結面の上端から上記リムの上面まで立ち上がるように形成された第１立壁面と、上記リムの内周面が上記第２連結面の上端から上記リムの上面まで立ち上がるように形成された第２立壁面と、を備え、上記第１立壁面の下端から上端までの鉛直方向の第１距離は、上記ボウル面の前方領域及び左右側方領域に亘ってほぼ同一に設定されており、上記ボウル面の後方領域における上記第２立壁面の下端から上端までの鉛直方向の第２距離は、上記第１距離よりも大きく設定されている。
このように構成された本発明においては、第１立壁面の下端から上端までの鉛直方向の第１距離が、ボウル面の前方領域及び左右側方領域に亘ってほぼ同一に設定されているため、ボウル面の前方領域及び左右側方領域の第１立壁面に沿って流れる洗浄水について、エネルギーロスが抑制された状態でボウル面の後方領域に流入させることができる。
また、第１立壁面に沿って流れた洗浄水がボウル面の後方領域に流入して第２立壁面に沿って流れる際に、洗浄水の流動が変化して水撥ねが生じる恐れがあっても、ボウル面の後方領域の第２立壁面の下端から上端までの鉛直方向の第２距離がボウル面の前方領域及び左右側方領域の第１立壁面の下端から上端までの鉛直方向の第１距離よりも大きく設定されているため、水撥ねを効果的に抑制することができる。
【００１１】
本発明において、好ましくは、上記吐水部は、上記ボウル面の前後方向に延びる中心軸線に対して一方側の側方領域から上記前方領域に変化する領域付近に配置された第１吐水口と、上記ボウル面の前後方向に延びる中心軸線に対して他方側の側方領域から上記後方領域に変化する領域付近に配置された第２吐水口と、を備えている。
このように構成された本発明においては、吐水部の第１吐水口は、ボウル面の前後方向に延びる中心軸線に対して一方側の側方領域から前方領域に変化する領域付近に配置されているため、この第１吐水口からの吐水直後の洗浄水は、比較的エネルギーロスが生じやすい状態で、また、水撥ねも生じやすい状態となっている。
しかしながら、ボウル面における前後及び左右の両端を含む周方向の領域において、連結面の曲面の上下方向の曲率半径がほぼ同一に設定されているため、第１吐水口からの吐水直後の洗浄水がボウル面の前方領域に流入した後においては、エネルギーロスや水撥ねを抑制しながら、安定して旋回させることができる。
また、吐水部の第２吐水口は、ボウル面の前後方向に延びる中心軸線に対して他方側の側方領域から後方領域に変化する領域付近に配置されているため、第２吐水口から吐水された洗浄水は、ボウル面の後方領域内の棚に沿ってある程度の遠心力が作用した状態で流れることになる。
しかしながら、ボウル面の後方領域における第２連結面が、ボウル面における前方領域及び左右の両端を含む左右側方領域における第１連結面よりも低い位置に設けられているため、ボウル面の後方領域の棚上を流れる洗浄水は、その後、高いエネルギーを維持した状態でボウル面の下方の溜水部にスムーズに導かれる。そして、溜水部内の洗浄水は、上下縦方向に旋回する旋回流を形成し、強力に攪拌することができる。
そして、ボウル面の上下方向の水の落差による流水作用により、洗浄水が排水路内に流れ込み、汚物を押し流すことができる。
【００１２】
本発明において、好ましくは、上記第１連結面の下端と上記第２連結面の下端との間における鉛直方向の距離は、３ｍｍ〜１５ｍｍに設定されている。
このように構成された本発明においては、ボウル面の後方領域における第２連結面付近を流れる洗浄水の水撥ねやそれに伴うエネルギーロスを効果的に抑制することができる。
【発明の効果】
【００１３】
本発明の水洗大便器によれば、洗浄水によるボウルの外部への飛び出しや周囲への飛び散りを効果的に抑制することができ、特に、ボウル面の後方領域における洗浄性能を向上させることができる。
【図面の簡単な説明】
【００１４】
【図１】本発明の一実施形態による水洗大便器の概略平面図である。
【図２】図１のＩＩ−ＩＩ線に沿った断面図である。
【図３】図１のＩＩＩ−ＩＩＩ線に沿った断面図である。
【図４】図１のＩＶ−ＩＶ線に沿った断面図である。
【図５】図１のＶ−Ｖ線に沿った断面図である。
【図６Ａ】図３のＡ部拡大図である。
【図６Ｂ】図３のＢ部拡大図である。
【図６Ｃ】図４のＣ部拡大図である。
【図６Ｄ】図４のＤ部拡大図である。
【図６Ｅ】図５のＥ部拡大図である。
【図６Ｆ】図５のＦ部拡大図である。
【図７】本発明の一実施形態による水洗大便器のボウル内の洗浄水の流れを概略的に説明した概略平面図である。
【図８】本発明の一実施形態による水洗大便器のボウル内の洗浄水の流れを概略的に説明した概略正面断面図である。
【発明を実施するための形態】
【００１５】
つぎに、図１〜図８を参照して、本発明の一実施形態による水洗大便器について説明する。
まず、図１は、本発明の一実施形態による水洗大便器の概略平面図である。
図１に示すように、本発明の一実施形態による水洗大便器１は、陶器製の便器本体２を備えている。この便器本体２は、上流側から下流側に向かって、導水路４と、ボウル形状のボウル６と、排水トラップ管路８とを備えている。
また、本実施形態の水洗大便器１は、便器本体２のボウル６内の水の落差による流水作用で汚物を排水トラップ管路８へ押し流す、いわゆる、「洗い落し式の水洗大便器」である。
なお、便器本体２については、陶器製以外の樹脂製等であってもよい。
【００１６】
つぎに、図１に示す本実施形態の水洗大便器１の便器本体２の上面においては、便座（図示せず）及び便蓋（図示せず）等が設けられているが、従来の水洗大便器の構造と同様であるため、具体的な説明については省略する。
また、便器本体２の上面においては、便座（図示せず）及び便蓋（図示せず）の後方側には、使用者の局部を洗浄する衛生洗浄部（図示せず）や便器本体２への給水機能に関与する給水系機能部等の機能部（図示せず）も設けられていてもよいが、これらについても、従来の水洗大便器の構造と同様であるため、具体的な説明については省略する。
【００１７】
つぎに、図１に示すように、本発明の一実施形態による水洗大便器１は、便器本体２のボウル６の後方且つ上方に設けられた洗浄水源である洗浄水タンク装置１０を備えている。
また、洗浄水タンク装置１０は、貯水した洗浄水について重力を利用して便器本体２の導水路４に供給可能にする重力給水式の貯水タンク１０ａを備えている。
ここで、貯水タンク１０ａの内部には、代表的には、貯水タンク１０ａ内に洗浄水を給水する給水装置（図示せず）や、貯水タンク１０ａの排水口（図示せず）を開閉する排水弁装置（図示せず）等が設けられているが、これらの装置は、従来と同様であるため、具体的な説明については省略する。
なお、本実施形態では、便器本体２へ洗浄水を供給する洗浄水源としては、上述した重力給水式の貯水タンク１０のようなタンク式の形態に限定されず、他の形態でも適用可能である。すなわち、便器本体２へ洗浄水を供給する洗浄水源として、水道水の給水圧を直接利用した水道直圧式の形態やフラッシュバルブ式の形態であってもよいし、或いは、ポンプの補圧を利用して洗浄水を供給する形態であってもよい。
【００１８】
つぎに、図２は、図１のＩＩ−ＩＩ線に沿った断面図であり、図３は、図１のＩＩＩ−ＩＩＩ線に沿った断面図である。また、図４は、図１のＩＶ−ＩＶ線に沿った断面図であり、図５は、図１のＶ−Ｖ線に沿った断面図である。
なお、図２〜図５においては、本実施形態の水洗大便器１の洗浄水タンク装置１０については省略している。
ここで、図１に示す本発明の一実施形態による水洗大便器１においては、便器本体２のボウル６の平面視において、ボウル６を前後方向に二等分するように水平左右方向に延びる中心軸線を「Ｘ」で示し、ボウル６を左右方向に二等分するように水平前後方向に延びる中心軸線を「Ｙ」で示している。
また、図１では、中心軸線Ｘ，Ｙの互いの交点を平面視のボウル６の中心Ｏとし、この中心Ｏを通る鉛直方向に延びる中心軸線を「Ｚ」で示している。
これらにより、図２及び図３に示す本発明の一実施形態による水洗大便器１においては、便器本体２のボウル６の側面視において、ボウル６を前後方向に二等分するように鉛直方向に延びる中心軸線を「Ｚ」で示している。
さらに、図１〜図３に示すように、水洗大便器１の前後左右の方向については、「前」、「後」、「左」、「右」でそれぞれ示している。
【００１９】
また、図１〜図３に示すように、水洗大便器１のボウル６においては、その前端（ボウル面Ｓの前端６ａ）から水平前後方向の中心軸線Ｙに沿って所定距離Ｙ１［ｍｍ］だけ後方の境界位置Ｐ１までの領域を「ボウル６の前方領域Ｆ」と定義し、ボウル６内の後端（ボウル面Ｓの後端６ｂ）から水平前後方向の中心軸線Ｙに沿って所定距離Ｙ２［ｍｍ］だけ前方の境界位置Ｐ２までの領域を「ボウル６の後方領域Ｂ」と定義する。
さらに、図１〜図３に示すように、水洗大便器１のボウル６において、前方領域Ｆと後方領域Ｂとの間の領域で且つ水平前後方向の中心軸線Ｙに対して右側の側方領域を「ボウル６の右側方領域Ｒ」と定義し、前方領域Ｆと後方領域Ｂとの間の領域で且つ水平前後方向の中心軸線Ｙに対して左側の側方領域を「ボウル６の左側方領域Ｌ」と定義する。
例えば、図１に示すように、ボウル６内の前端６ａから後端６ｂまでの前後方向の全長距離をＹ０［ｍｍ］とすると、ボウル６の前方領域Ｆの水平前後方向の範囲に相当する所定距離Ｙ１は、全長距離Ｙ０に対して３０％〜４０％（Ｙ１／Ｙ０＝０．３０〜０．４０）の大きさに設定されている。
また、図１に示すように、ボウル６の後方領域Ｂの水平前後方向の範囲に相当する所定距離Ｙ２は、全長距離Ｙ０に対して１５％〜２５％（Ｙ２／Ｙ０＝０．１５〜０．２５）の大きさに設定されている。
【００２０】
つぎに、図１〜図５に示すように、便器本体２の上流側に位置する導水路４は、ボウル６の後方側に形成され、貯水タンク１０から供給された洗浄水をボウル６に導くようになっている。
また、図１〜図５に示すように、便器本体２の導水路４の下流側に位置するボウル６は、下方から上方に向かって、凹部１２、汚物受け面１４、棚１６、及び、リム１８を備えている。
【００２１】
まず、ボウル６の凹部１２は、ボウル６の下方に凹状に形成されており、溜水Ｗ０が収容される溜水部となっている。
つぎに、ボウル６の汚物受け面１４は、凹部１２の上縁からボウル状に形成されており、汚物を受ける面となっている。
ここで、図１〜図５に示すように、ボウル面Ｓについては、汚物受け面１４から凹部１２にかけて下方に屈曲しており、凹部１２は、その屈曲を開始した地点を汚物受け面１４との境界としている。
なお、図１〜図５では、汚物受け面１４と凹部１２との境界線を「Ｍ」とする。すなわち、この境界線Ｍは、凹部１２の上縁に相当すると共に、汚物受け面１４の内縁かつ下縁に相当している。
また、図１〜図５に示すように、ボウル６のリム１８は、ボウル６の上縁を形成しており、リム１８の内周面Ｓ１は、図１に示す平面視において、概ね卵形の形状に形成されている。
【００２２】
ここで、図１に示すように、ボウル６の前方領域Ｆ、後方領域Ｂ、左右側方領域Ｌ，Ｒのそれぞれのリム１８の内周面Ｓ１の平面視において、それぞれの前端６ａ付近の代表的な曲率半径をｒ１、後端６ｂ付近の代表的な曲率半径をｒ２、左端６ｃ付近の代表的な曲率半径をｒ３、及び、右端６ｄ付近の代表的な曲率半径をｒ４とする。
このとき、曲率半径ｒ１は、曲率半径ｒ２，ｒ３，ｒ４よりも小さく設定されている。また、曲率半径ｒ３，ｒ４は、ボウル６の左右対称の位置において互いにほぼ同一の曲率半径に設定されており、曲率半径ｒ２よりも大きく設定されている（ｒ１＜ｒ２＜ｒ３≒ｒ４）。
さらに、図１〜図５に示すように、ボウル６の棚１６は、汚物受け面１４の外縁とリム１８の下端との間に形成されている。導水路４内の洗浄水は、詳細は後述する２つのリム吐水口（第１リム吐水口２０及び第２リム吐水口２２）のそれぞれに導かれて吐水された後、棚１６上に沿って周方向下流側に導かれるようになっている。
【００２３】
つぎに、図１〜図５に示すように、導水路４は、共通通水路２４、第１リム通水路２６、及び、第２リム通水路２８を備えている。
まず、図１〜図３に示すように、共通通水路２４は、貯水タンク１０に接続される後方の入口４ａから前方のボウル６の背面側近傍まで延びるようにボウル６の後方側の便器本体２の内部に形成されている。
また、図１、図２、図４及び図５に示すように、第１リム通水路２６は、ボウル６の背面側近傍で共通通水路２４からボウル６の一方側（ボウル６の前方から見て左側）に分岐している。
そして、図１、図２、図４及び図５に示すように、第１リム通水路２６は、ボウル６の外周面を迂回しながら前方に延びるようにボウル６の左側方領域Ｌのリム１８の内部に形成された後、その前方の前方領域Ｆ内の第１吐水口（第１リム吐水口２０）まで延びている。
【００２４】
一方、図１、図３〜図５に示すように、第２リム通水路２８については、ボウル６の背面側近傍で共通通水路２４からボウル６の他方側（ボウル６の前方から見て右側）に分岐している。
また、図１、図３〜図５に示すように、第２リム通水路２８は、ボウル６の外周面を迂回しながら前方に延びるようにボウル６の後方領域Ｂのリム１８の内部に形成される。
そして、図１、図３〜図５に示すように、第２リム通水路２８は、ボウル６の後方領域Ｂよりも前方で且つ水平左右方向の中心軸線Ｘよりも後方の右側方領域Ｒ内のリム１８の内部で後方側にＵターンするように形成された後、ボウル６の右側方領域Ｒ内の後方側の第２吐水口（第２リム吐水口２２）まで延びている。
さらに、図１に示すように、第２リム通水路２８については、より具体的には、上流側から下流側に向かって、入口２８ａと、外側通水路２８ｂと、屈曲通水路２８ｃと、内側通水路２８ｄとを備えている。
これにより、第２リム通水路２８は、外側通水路２８ｂの前方部分（下流側部分）から屈曲通水路２８ｃ及び内側通水路２８ｄを経て、その下流端の第２リム吐水口２２までの部分が、平面視でＵ字形形状にターンする部分（Ｕターン部Ｕ）を形成している。
【００２５】
つぎに、図１〜図３及び図５に示すように、便器本体２の下流側に位置する排水トラップ管路８は、ボウル６の下方から後方に形成され、ボウル６内の汚物を排出する排水路である。
また、図１〜図３及び図５に示すように、排水トラップ管路８の入口８ａは、ボウル６の凹部１２の下方に接続されている。
さらに、図２及び図３に示すように、排水トラップ管路８は、その入口８ａから下方且つ後方に下降する下降路８ｂと、この下降路８ｂの下流端から上方且つ後方に上昇する上昇路８ｃと、を備えている。
【００２６】
つぎに、図１〜図５に示すように、ボウル６は、下方から上方に向かって、凹部１２内の底壁面１２ａ及び側壁面１２ｂを含む壁面Ｓ２、汚物受け面１４の全面Ｓ３、棚１６の表面（棚面）Ｓ４、及び、リム１８の内周面Ｓ１を備えており、これらの面Ｓ１〜Ｓ４により、ボウル形状のボウル面Ｓを形成している。
なお、本実施形態では、ボウル６の平面視のボウル面Ｓの形状について、概ね卵形形状に形成された形態について説明するが、卵形形状とは異なる概ね楕円形状に形成された形態等であってもよい。
【００２７】
つぎに、図１及び図２に示すように、水洗大便器１の第１リム吐水口２０は、ボウル面Ｓの水平前後方向に延びる中心軸線Ｙに対して一方側の左側方領域Ｌから前方領域Ｆに変化する領域付近に配置されている。より具体的には、第１リム吐水口２０は、ボウル６の前方領域Ｆの境界位置Ｐ１よりも前方の前方領域Ｆ内の後方側に配置されている。
例えば、図１及び図２に示すように、ボウル６内の前端６ａからボウル６の前方領域Ｆ内の第１リム吐水口２０の位置Ｐ３までの前後方向の距離Ｙ３は、ボウル６内の全長距離Ｙ０に対して１５％〜３５％（Ｙ３／Ｙ０＝０．１５〜０．３５）の大きさに設定されている。
つぎに、図１及び図３に示すように、水洗大便器１の第２リム吐水口２２は、ボウル面Ｓの前後方向に延びる中心軸線Ｙに対して他方側の右側方領域Ｒから後方領域Ｂに変化する領域付近に配置されている。より具体的には、第２リム吐水口２２は、ボウル６の後方領域Ｂの前方側の境界位置Ｐ２よりも前方の右側方領域Ｒ内の後方側に配置されている。
例えば、図１及び図３に示すように、ボウル６内の後端６ｂからボウル６の右側方領域Ｒ内の第２リム吐水口２２の位置Ｐ４までの前後方向の距離Ｙ４は、ボウル６内の全長距離Ｙ０に対して１５％〜３５％（Ｙ４／Ｙ０＝０．１５〜０．３５）の大きさに設定されている。
【００２８】
つぎに、図１及び図３〜図５に示すように、第２リム吐水口２２の位置Ｐ４は、ボウル６の凹部１２の後端位置Ｐ５（図３に示す凹部１２内の後壁面１２ｃの上端位置にも相当する位置）よりも前方に設定されている。
特に、図１に示すように、この凹部１２の後端位置Ｐ５は、汚物受け面１４と凹部１２との境界線Ｍ上の最後端に位置している。
また、図１〜図３及び図５に示すように、ボウル６の凹部１２内に収容される溜水Ｗ０の水位（溜水面ＷＬ）については、便器洗浄が開始する前及び便器洗浄が完了した後の待機状態の静水位置を示している。
そして、図１に示すように、第２リム吐水口２２の位置Ｐ４は、平面視において、ボウル６の凹部１２内に収容される溜水Ｗ０の溜水面ＷＬの後端位置Ｐ６よりも前方に設定されている。
さらに、図１及び図３に示すように、第２リム吐水口２２の開口断面は、便器本体２の前後方向の後方に向かって差し向けられた状態で開口している。
【００２９】
つぎに、図６Ａは図３のＡ部拡大図であり、図６Ｂは図３のＢ部拡大図である。また、図６Ｃは図４のＣ部拡大図であり、図６Ｄは図４のＤ部拡大図である。さらに、図６Ｅは図５のＥ部拡大図であり、図６Ｆは図５のＦ部拡大図である。
まず、図１、図６Ａ、図６Ｃ〜図６Ｆに示すように、ボウル面Ｓは、その前方領域Ｆ、及び、左右の両端６ｃ，６ｄを含む左右側方領域Ｌ，Ｒにおいて、棚１６の棚面Ｓ４の外縁１６ａとリム１８の下縁１８ａとの間を曲面Ｓ５にて連結する第１連結面３０を備えている。
また、図１及び図６Ｂに示すように、ボウル面Ｓは、さらに、その後方領域Ｒにおいて、棚１６の棚面Ｓ４の外縁１６ａとリム１８の下縁１８ａとの間を曲面Ｓ６にて連結する第２連結面３２を備えている。
さらに、図６Ａ〜図６Ｆに示すように、ボウル面Ｓの第１連結面３０及び第２連結面３２のそれぞれの曲面Ｓ５，Ｓ６の立面視において、それぞれの上下方向の曲率半径ρ１，ρ２が互いにほぼ同一に設定されている。
ここで、曲率半径ρ１，ρ２が互いに「ほぼ同一」とは、完全同一である場合（ρ１＝ρ２）を含むことは当然として、完全同一ではない場合であっても、陶器製の便器本体２の製造誤差等を考慮するとほぼ同一（ρ１≒ρ２）とみなすことができる誤差の範囲をも含む。
また、本実施形態では、ボウル面Ｓにおける前後両端６ａ，６ｂ及び左右両端６ｃ，６ｄを含む周方向の領域において、各連結面３０，３２の各曲面Ｓ５，Ｓ６の立面視における各上下方向の各曲率半径ρ１，ρ２が互いにほぼ同一に設定されている。
しかしながら、本実施形態では、このような「ボウル面Ｓにおける前後両端６ａ，６ｂ及び左右両端６ｃ，６ｄを含む周方向の領域」については、平面視のボウル面Ｓの中心Ｏに対して周方向に完全に一周するボウル面Ｓの前後両端６ａ，６ｂ及び左右両端６ｃ，６ｄを含む全周領域を含むことは当然として、これ以外にも、ボウル面Ｓの前後両端６ａ，６ｂ及び左右両端６ｃ，６ｄ以外の局所的な領域を除いた、ボウル面Ｓの半周以上全周未満であるほぼ全周とみなすことができる領域を含む。
なお、各連結面３０，３２の立面視における各曲面Ｓ５，Ｓ６の上下方向の各曲率半径ρ１，ρ２については、３ｍｍ〜２０ｍｍに設定されていることが好ましく、５ｍｍ〜１５ｍｍに設定されていることが最も好ましい。
【００３０】
つぎに、図３、図４、図６Ａ及び図６Ｃ〜図６Ｆに示すように、第１連結面３０の下端３０ａは、ボウル面Ｓの前方領域Ｆ及び左右側方領域Ｌ，Ｒのそれぞれに亘って、リム１８の上面１８ｂ（最上端面）の高さ位置Ｈ０に対して鉛直方向下方の第１所定距離ｄ１だけ互いにほぼ同一の高さ位置（第１高さ位置）Ｈ１に設けられている。
ここで、「ほぼ同一の高さ位置」という記載の「ほぼ同一」とは、高さ位置が完全に同一である場合を含むことは当然として、完全に同一の高さ位置ではない場合であっても、陶器製の便器本体２の製造誤差等を考慮するとほぼ同一の高さ位置とみなすことができる誤差の範囲をも含む。
また、図３、図４及び図６Ｂに示すように、第２連結面３２の下端３２ａは、リム１８の上面１８ｂ（最上端面）の高さ位置Ｈ０に対して第１所定距離ｄ１よりも大きい第２所定距離ｄ２（＞ｄ１）だけ下方の高さ位置（第２高さ位置）Ｈ２に設けられている。
すなわち、図２及び図３に示すように、第２連結面３２の下端３２ａの高さ位置Ｈ２は、第１連結面３０の下端３０ａの高さ位置Ｈ１よりも低い位置に設定されている。
さらに、図６Ａ及び図６Ｃ〜図６Ｆに示す第１連結面３０の下端３０ａから上端３０ｂまでの鉛直方向の距離ｄ３、及び、図６Ｂに示す第２連結面３２の下端３２ａから上端３２ｂまでの鉛直方向の距離ｄ４についても、互いにほぼ同一に設定されている。
ここで、距離ｄ３，ｄ４が互いに「ほぼ同一」とは、完全同一である場合（ｄ３＝ｄ４）を含むことは当然として、完全同一ではない場合であっても、陶器製の便器本体２の製造誤差等を考慮するとほぼ同一（ｄ３≒ｄ４）とみなすことができる誤差の範囲をも含む。
これらにより、第２連結面３２の高さ位置（第２高さ位置）は、第１連結面３０の高さ位置（第１高さ位置）よりも相対的に低い位置に設定されている。
【００３１】
ここで、図６Ａ及び図６Ｃ〜図６Ｆに示すように、リム１８の上面１８ｂ（最上端面）の高さ位置Ｈ０から第１連結面３０の下端３０ａの高さ位置Ｈ１までの鉛直方向下方の第１所定距離ｄ１については、５０ｍｍ〜８５ｍｍに設定されていることが好ましく、５５ｍｍ〜７５ｍｍに設定されていることが最も好ましい。
また、図６Ｂに示すように、リム１８の上面１８ｂ（最上端面）からの高さ位置Ｈ０から第２連結面３２の下端３２ａの高さ位置Ｈ２までの鉛直方向下方の第２所定距離ｄ２については、５３ｍｍ〜１００ｍｍに設定されていることが好ましく、５８ｍｍ〜９０ｍｍに設定されていることが最も好ましい。
さらに、図６Ａ〜図６Ｆに示すように、各連結面３０，３２の各下端３０ａ，３２ａの高さ位置Ｈ１，Ｈ２から各上端３０ｂ，３２ｂの高さ位置Ｈ３，Ｈ４までの鉛直方向の各距離ｄ３，ｄ４については、３ｍｍ〜２０ｍｍに設定されていることが好ましく、５ｍｍ〜１０ｍｍに設定されていることが最も好ましい。
また、図２及び図３に示すように、第１連結面３０の下端３０ａの高さ位置Ｈ１と第２連結面３２の下端３２ａの高さ位置Ｈ２との間における鉛直方向の距離ｄ５は、３ｍｍ〜１５ｍｍに設定されていることが好ましく、５ｍｍ〜１０ｍｍに設定されていることが最も好ましい。
【００３２】
つぎに、図６Ａ及び図６Ｃ〜図６Ｆに示すように、ボウル面Ｓの前方領域Ｆ及び左右側方領域Ｌ，Ｒのリム１８においては、その内周面Ｓ１が第１連結面３０の上端３０ｂからリム１８の上面１８ｂまで立ち上がるように形成された第１立壁面Ｓ７を形成している。
そして、図６Ａ及び図６Ｃ〜図６Ｆに示すように、第１立壁面Ｓ７の下端３０ｂ（リム１８の下端１８ａ）の高さ位置Ｈ３から第１立壁面Ｓ７の上端（リム１８の最上端面１８ｂ）の高さ位置Ｈ０までの鉛直方向の距離ｄ６は、ボウル面Ｓの前方領域Ｆ及び左右側方領域Ｌ，Ｒに亘ってほぼ同一に設定されている。
ここで、「ほぼ同一」とは、完全同一である場合を含むことは当然として、完全同一ではない場合であっても、陶器製の便器本体２の製造誤差等を考慮するとほぼ同一とみなすことができる誤差の範囲をも含む。
【００３３】
また、図６Ａ及び図６Ｃ〜図６Ｆに示すように、第１立壁面Ｓ７は、リム１８の内周面の下側領域及び上側領域をそれぞれ形成する下側立壁面Ｓ８及び上側立壁面Ｓ９を備えている。
そして、図６Ａ及び図６Ｃ〜図６Ｆに示すように、第１立壁面Ｓ７の下側立壁面Ｓ８は、その下端１８ａから上端１８ｃに向かって斜め外側に向かって立ち上がるように形成されている。
なお、この下側立壁面Ｓ８については、その下端から上端に向かって鉛直に立ち上がるような形状であってもよい。
さらに、図６Ａ及び図６Ｃ〜図６Ｆに示すように、第１立壁面Ｓ７の上側立壁面Ｓ９は、その下端１８ｃから上端に向かって斜め内側に向かって立ち上がるように形成された立ち上がり部Ｓ１０を備えている。
また、第１立壁面Ｓ７の上側立壁面Ｓ９は、立ち上がり部Ｓ１０の上端部分に設けられて内側に突出するオーバーハング部Ｓ１１を備えている。
なお、この第１立壁面Ｓ７の上側立壁面Ｓ９の立ち上がり部Ｓ１０については、その下端から上端に向かって鉛直に立ち上がるような形状であってもよい。
【００３４】
つぎに、図６Ｂに示すように、ボウル面Ｓの後方領域Ｂのリム１８においては、その内周面Ｓ１が第２連結面３２の上端３２ｂからリム１８の上面１８ｂまで立ち上がるように形成された第２立壁面Ｓ１２を形成している。
そして、図６Ｂに示すように、ボウル面Ｓの後方領域Ｂにおける第２立壁面Ｓ１２の下端３２ｂ（リム１８の下端１８ａ）の高さ位置Ｈ４から第２立壁面Ｓ１２の上端（リム１８の最上端面１８ｂ）の高さ位置Ｈ０までの鉛直方向の距離ｄ７は、図６Ａ及び図６Ｃ〜図６Ｆに示す第１立壁面Ｓ７の下端３０ｂの高さ位置Ｈ３から第１立壁面Ｓ７の上端１８ｂの高さ位置Ｈ０までの鉛直方向の距離ｄ６よりも大きく設定されている（ｄ７＞ｄ６）。
【００３５】
また、図６Ｂに示すように、第２立壁面Ｓ１２は、リム１８の内周面の下側領域及び上側領域をそれぞれ形成する下側立壁面Ｓ１３及び上側立壁面Ｓ１４を備えている。
そして、図６Ｂに示すように、第２立壁面Ｓ１２の下側立壁面Ｓ１３は、その下端１８ａから上端１８ｃに向かって斜め外側に向かって立ち上がるように形成されている。
なお、この下側立壁面Ｓ１３については、その下端から上端に向かって鉛直に立ち上がるような形状であってもよい。
さらに、図６Ｂに示すように、第２立壁面Ｓ１２の上側立壁面Ｓ１４は、その下端１８ｃから上端に向かって斜め内側に向かって立ち上がるように形成された立ち上がり部Ｓ１５を備えている。
また、第２立壁面Ｓ１２の上側立壁面Ｓ１４は、立ち上がり部Ｓ１５の上端部分に設けられて内側に突出するオーバーハング部Ｓ１６を備えている。
なお、この第２立壁面Ｓ１２の上側立壁面Ｓ１４の立ち上がり部Ｓ１５については、その下端から上端に向かって鉛直に立ち上がるような形状であってもよい。
【００３６】
つぎに、図２〜図５及び図６Ｂに示すように、ボウル面Ｓの後方領域Ｂにおける第２連結面３２の下端３２ａの高さ位置Ｈ２は、周方向に沿って連続的に変化するように設定されている。
そして、図２〜図５及び図６Ｂに示すように、ボウル面Ｓの後方領域Ｂにおける第２連結面３２の下端３２ａの高さ位置Ｈ２は、ボウル面Ｓの後方領域Ｂ内の左右方向のほぼ中央の領域（中央領域Ｃ１）において、最も低い高さ位置（最低高さ位置Ｈ５）に設定されている。
これらにより、第２連結面３２の下端３２ａの高さ位置Ｈ２は、ボウル面Ｓの後方領域Ｂ内の一方側（図４及び図５の便器本体２を前方から見て右側（第２リム吐水口２２側））から周方向に沿ってボウル面Ｓの後方領域Ｂ内の左右方向のほぼ中央の領域Ｃ１付近まで徐々に変化しながら下降し、その後、ボウル面Ｓの後方領域Ｂ内の他方側（図４及び図５の便器本体２を前方から見て左側）に向かって徐々に上昇するようになっている。
【００３７】
つぎに、図１〜図８を参照して、本発明の一実施形態による水洗大便器１の作用について説明する。
図７は、本発明の一実施形態による水洗大便器のボウル内の洗浄水の流れを概略的に説明した概略平面図である。また、図８は、本発明の一実施形態による水洗大便器のボウル内の洗浄水の流れを概略的に説明した概略正面断面図である。
まず、図７に示すように、便器洗浄が開始され、貯水タンク１０内の洗浄水が便器本体２の導水路４の入口４ａから共通通水路２４に供給される。
そして、共通通水路２４内の洗浄水（図７の流れｆ０）は、第１リム通水路２６及び第２リム通水路２８のそれぞれに分岐し、下流側の第１リム吐水口２０及び第２リム吐水口２２のそれぞれに供給された後、周方向下流側に吐水される。
ここで、図７に示すように、第１リム吐水口２０から比較的大流量で吐水された洗浄水（流れｆ１）は、ボウル面Ｓの前方領域Ｆにおいて、棚１６の棚面Ｓ４、第１連結面３０の曲面Ｓ５、及び、リム１８の内周面Ｓ１上に沿って下流側のボウル面Ｓの右側方領域Ｒに旋回した後、ボウル面Ｓの後方領域Ｂに流れる。
そして、ボウル面Ｓ（汚物受け面１４の全面Ｓ３）上を周方向下流側に旋回する旋回流ｆ１（いわゆる、「横旋回流」）が形成される。
これにより、洗浄水ｆ１（図７参照）は、ボウル面Ｓ（汚物受け面１４等）を全周に亘って旋回し、ボウル面Ｓの全域を洗浄した後、ボウル６の凹部１２内に流れ込むため、ボウル６内の水の落差による流水作用により、汚物が排水トラップ管路８内に押し流される。
【００３８】
一方、図６Ｂ、図７及び図８に示すように、第２リム吐水口２２から後方に吐水された洗浄水（流れｆ２）は、ボウル面Ｓの後方領域Ｂにおいて、旋回流ｆ１の旋回方向と同一方向に、ボウル面Ｓの後方領域Ｂ内の左右方向の中央領域Ｃ１付近に向って、棚面Ｓ４、第２連結面３２の曲面Ｓ６、及び、リム１８の内周面Ｓ１２上に沿って下流側にスムーズに流れる。
そして、図７及び図８に示すように、ボウル面Ｓの後方領域Ｂ内の左右方向の中央領域Ｃ１付近に到達した洗浄水ｆ２は、ボウル面Ｓの後方領域Ｂにおける中央領域Ｃ１よりも左側の汚物受け面１４からボウル面Ｓの下方の溜水部（凹部１２）内の溜水Ｗ０に向けて落とし込む流れｆ３が形成される。
また、図６Ｂ、図７及び図８に示すように、第２リム吐水口２２から吐水された洗浄水の一部は、ボウル面Ｓの後方領域Ｂの中央領域Ｃ１よりも右側付近の第２立壁面Ｓ１２、棚面Ｓ４、第２連結面３２、及び、汚物受け面１４から、ボウル６の凹部１２内の溜水Ｗ０に向けて後方側から落とし込む流れｆ４が形成される。
そして、図７及び図８に示すように、ボウル６の凹部１２内においては、これらの洗浄水の流れｆ３，ｆ４により、縦方向に旋回する旋回流ｆ５（いわゆる、「縦旋回流」）が形成される。これにより、ボウル６の凹部１２内の溜水Ｗ０が強力に攪拌された後、ボウル６の凹部１２内の水の落差による流水作用で汚物が排水トラップ管路８内に押し流される。
【００３９】
上述した本発明の一実施形態による水洗大便器１によれば、図６Ａ〜図７に示すように、第１リム吐水口２０から吐水された洗浄水ｆ１は、ボウル面Ｓの前方領域Ｆ及び右側方領域Ｒにおける棚１６、第１連結面３０、及び、リム１８の内周面Ｓ７に沿って周方向に旋回した後、ボウル面Ｓの後方領域Ｂに流入する。
この際、図１、図６Ａ、図６Ｃ〜図６Ｆに示すように、ボウル面Ｓが、その前方領域Ｆ、及び、左右の両端６ｃ，６ｄを含む左右側方領域Ｌ，Ｒにおいて、棚１６の棚面Ｓ４の外縁１６ａとリム１８の下縁１８ａとの間を曲面Ｓ５にて連結する第１連結面３０を備えている。
また、図１及び図６Ｂに示すように、ボウル面Ｓが、さらに、その後方領域Ｒにおいて、棚１６の棚面Ｓ４の外縁１６ａとリム１８の下縁１８ａとの間を曲面Ｓ６にて連結する第２連結面３２を備えている。
さらに、図６Ａ〜図６Ｆに示すように、ボウル面Ｓの第１連結面３０及び第２連結面３２のそれぞれの曲面Ｓ５，Ｓ６の立面視において、それぞれの上下方向の曲率半径ρ１，ρ２が互いにほぼ同一に設定されている。
これらにより、棚１６の形状のばらつき等によって洗浄水が飛び散ることを抑制し、且つ洗浄水のエネルギー損失を抑制することができる。
さらに、第１連結面３０が、ボウル面Ｓにおける前方領域Ｆ及び左右の両端６ｃ，６ｄを含む左右側方領域Ｌ，Ｒにおいて互いにほぼ同一の高さ位置に設けられており、第２連結面３２が、ボウル面Ｓにおける後方領域Ｂにおいて第１連結面３０の高さ位置よりも低い高さ位置に設けられている。
これらにより、第２リム吐水口２２から吐水された洗浄水の流れｆ２は、ボウル面Ｓの後方領域Ｂにおける棚面Ｓ４、第２連結面３２、及び、リム１８の内周面Ｓ１２に沿って流れ、高いエネルギー状態のままでボウル面Ｓの下方の溜水部（凹部１２）に向けて後方側から勢い良く流下することができる。
したがって、汚物が付着しやすいボウル面Ｓの後方領域Ｂの汚物受け面１４においても確実に洗浄することができる。
【００４０】
つぎに、本実施形態による水洗大便器１によれば、図２、図３、図６Ａ及び図６Ｃ〜図６Ｆに示すように、ボウル面Ｓにおける前方領域Ｆ及び左右側方領域Ｌ，Ｒのそれぞれの第１連結面３０の下端３０ａが、互いにリム１８の上面１８ｂの位置Ｈ０に対して所定距離ｄ１だけ下方の同一の高さ位置Ｈ１に設けられている。これにより、ボウル面Ｓにおける前方領域Ｆ及び左右側方領域Ｌ，Ｒの第１連結面３０に沿って旋回する洗浄水ｆ１のエネルギー損失を抑制することができる。
また、図２、図３及び図６Ｂに示すように、ボウル面Ｓの後方領域Ｂにおける第２連結面３２の下端３２ａが、ボウル面Ｓにおける前方領域Ｆ及び左右側方領域Ｌ，Ｒの第１連結面３０の下端３０ａの高さ位置Ｈ１よりも低い高さ位置Ｈ２に設けられている。これにより、ボウル面Ｓの後方領域Ｂの第２連結面３２付近を流れる洗浄水の水撥ねを抑制しながら、エネルギーロスを抑制することができる。
【００４１】
また、本実施形態による水洗大便器１によれば、図２、図３、図６Ｂ及び図８に示すように、ボウル面Ｓの後方領域Ｂの第２連結面３２の下端３２ａの高さ位置Ｈ２について、ボウル面Ｓの後方領域Ｂ内の左右方向のほぼ中央の領域Ｃ１が最も低い高さ位置Ｈ５に設定されている。これにより、ボウル面Ｓの後方領域Ｂの棚面Ｓ４、第２連結面３２の曲面Ｓ６、及び、リム１８の内周面Ｓ１２に沿って流れる洗浄水ｆ２は、ボウル面Ｓの後方領域Ｂ内の左右方向の中央領域Ｃ１付近にスムーズに到達することができる。
そして、図７及び図８に示すように、ボウル面Ｓの後方領域Ｂ内の左右方向の中央領域Ｃ１付近に到達した洗浄水ｆ２は、その大半が、ボウル面Ｓの後方領域Ｂにおける中央領域Ｃ１よりも左側の汚物受け面１４からボウル面Ｓの下方の溜水部（凹部１２）内の溜水Ｗ０に向けて落とし込む流れｆ３を形成することができ、その後、排水トラップ管路８内に流れ込むことができる。
同時に、ボウル面Ｓの後方領域Ｂ内の左右方向の中央領域Ｃ１付近に到達した洗浄水ｆ２の一部は、ボウル面Ｓの後方領域Ｂの中央領域Ｃ１よりも右側付近の第２立壁面Ｓ１２、棚面Ｓ４、第２連結面３２、及び、汚物受け面１４から、ボウル６の凹部１２内の溜水Ｗ０に向けて後方側から落とし込む流れｆ４を形成することができ、その後、排水トラップ管路８内に流れ込むことができる。
これらの洗浄水ｆ３，ｆ４により、汚物が付着しやすいボウル面Ｓの後方領域Ｂ内の左右方向の中央の領域Ｃ１付近について集中的に洗浄することができるため、ボウル面Ｓの後方領域Ｂ内の洗浄性能を向上させることができる。加えて、ボウル面Ｓの後方領域Ｂ内を流れる高いエネルギー状態の洗浄水を溜水部（凹部１２）内に後方側から勢い良く流入させることができるため、排水トラップ管路８への汚物排出性能を向上させることができる。
【００４２】
さらに、本実施形態の水洗大便器１によれば、図４及び図５に示すように、ボウル面Ｓの後方領域Ｂにおける第２連結面３２の下端３２ａの高さ位置Ｈ２が、ボウル面Ｓの後方領域Ｂの周方向に沿って連続的に変化するように設定されている。これにより、第２連結面３２の下端３２ａの高さ位置Ｈ２がボウル面Ｓの後方領域Ｂ内の一方側（図４及び図５の便器本体２を前方から見て右側（第２リム吐水口２２側））から周方向に沿ってボウル面Ｓの後方領域Ｂ内の左右方向のほぼ中央の領域Ｃ１付近まで徐々に変化しながら下降し、その後、ボウル面Ｓの後方領域Ｂ内の他方側（図４及び図５の便器本体２を前方から見て左側）に向かって徐々に上昇することができる。
したがって、第２連結面３２の高さ位置Ｈ２の急激な変化を抑制することができるため、ボウル面Ｓの後方領域Ｂにおける第２連結面３２付近を流れる洗浄水の水撥ねやそれに伴うエネルギーロスを抑制することができる。
【００４３】
また、本実施形態による水洗大便器１によれば、図６Ａ及び図６Ｃ〜図６Ｆに示すように、リム１８の第１立壁面Ｓ７の下端１８ａから上端１８ｂまでの鉛直方向の第１距離ｄ６が、ボウル面Ｓの前方領域Ｆ及び左右側方領域Ｌ，Ｒに亘ってほぼ同一に設定されている。
これにより、図７に示すように、ボウル面Ｓの前方領域Ｆ及び右側方領域Ｒの第１立壁面Ｓ７に沿って流れる洗浄水ｆ１について、エネルギーロスが抑制された状態でボウル面Ｓの後方領域Ｂに流入させることができる。
また、リム１８の第１立壁面Ｓ７に沿って流れた洗浄水ｆ１が、図６Ｂ及び図８に示すように、ボウル面Ｓの後方領域Ｂに流入してリム１８の第２立壁面Ｓ１２に沿って流れる際に、洗浄水ｆ２の流動が変化して水撥ねが生じる恐れがある。しかしながら、ボウル面Ｓの後方領域Ｂの第２立壁面Ｓ１２の下端１８ａから上端１８ｂまでの鉛直方向の第２距離ｄ７がボウル面Ｓの前方領域Ｆ及び左右側方領域Ｌ，Ｒのリム１８の第１立壁面Ｓ７の下端１８ａから上端１８ｂまでの鉛直方向の第１距離ｄ６よりも大きく設定されているため、水撥ねを効果的に抑制することができる。
【００４４】
さらに、本実施形態による水洗大便器１によれば、図１に示すように、第１リム吐水口２０は、ボウル面Ｓの前後方向に延びる中心軸線Ｙに対して一方側の側方領域（図１に示す左側方領域Ｌ）から前方領域Ｆに変化する領域付近に配置されている。より具体的には、第１リム吐水口２０は、ボウル６の前方領域Ｆの境界位置Ｐ１よりも前方の前方領域Ｆ内の後方側に配置されている。
これにより、第１リム吐水口２０からの吐水直後の洗浄水ｆ１（図７参照）は、比較的エネルギーロスが生じやすい状態で、また、水撥ねも生じやすい状態となっている。
しかしながら、図６Ａ〜図６Ｆに示すように、ボウル面Ｓにおける前後両端６ａ，６ｂ及び左右両端６ｃ，６ｄを含む周方向の領域（前方領域Ｆ、後方領域Ｂ、及び左右側方領域Ｌ，Ｒのほぼ全周）において、各連結面３０，３２の曲面Ｓ５，Ｓ６の上下方向の各曲率半径ρ１，ρ２が互いにほぼ同一に設定されている（ρ１＝ρ２、又は、ρ１≒ρ２）。これにより、第１リム吐水口２０からの吐水直後の洗浄水ｆ１（図７参照）がボウル面Ｓの前方領域Ｆに流入した後においては、エネルギーロスや水撥ねを抑制しながら、安定して旋回させることができる。
また、図１及び図３に示すように、第２リム吐水口２２は、ボウル面Ｓの前後方向に延びる中心軸線Ｙに対してボウル面Ｓの他方側の側方領域（右側方領域Ｒ）から後方領域Ｂに変化する領域付近に配置されている。より具体的には、第２リム吐水口２２は、ボウル６の後方領域Ｂの前方側の境界位置Ｐ２よりも前方の右側方領域Ｒ内の後方側に配置されている。
これにより、図７及び図８に示すように、第２リム吐水口２２から吐水された洗浄水ｆ２は、ボウル面Ｓの後方領域Ｂ内の棚１６に沿ってある程度の遠心力が作用した状態で流れることになる。
しかしながら、図２〜図５及び図６Ｂに示すように、ボウル面Ｓの後方領域Ｂにおける第２連結面３２の下端３２ａの高さ位置Ｈ２が、ボウル面Ｓにおける前方領域Ｆ及び左右の両端６ｃ，６ｄを含む左右側方領域Ｌ，Ｒにおける第１連結面３０の高さ位置Ｈ１よりも低い位置に設けられている。
これにより、図７及び図８に示すように、ボウル面Ｓの後方領域Ｂの棚１６上を流れる洗浄水ｆ２は、その後、ボウル面Ｓの後方領域Ｂ内の左右方向の中央領域Ｃ１付近で、流れｆ３又は流れｆ４となり、高いエネルギーを維持した状態でボウル面Ｓの下方の溜水部（凹部１２）内にスムーズに導かれる。そして、これらの洗浄水の流れｆ３，ｆ４は、ボウル６の凹部１２内で縦旋回流ｆ５を形成し、凹部１２内の溜水Ｗ０を強力に攪拌することができる。
そして、図８に示すように、ボウル６の凹部１２内の上下方向の水の落差による流水作用により、洗浄水が排水トラップ管路８内に流れ込み、汚物を押し流すことができる。
【００４５】
また、本実施形態による水洗大便器１によれば、図２〜図５に示すように、第１連結面３０の下端３０ａの高さ位置Ｈ１と第２連結面３２の下端３２ａの高さ位置Ｈ２との間における鉛直方向の距離ｄ５が、好ましくは、３ｍｍ〜１５ｍｍに設定され、最も好ましくは、５ｍｍ〜１０ｍｍに設定されている。
したがって、図４、図５及び図７に示すように、ボウル面Ｓの後方領域Ｂにおける第２連結面３２付近を流れる洗浄水ｆ２の水撥ねやそれに伴うエネルギーロスを効果的に抑制することができる。
【００４６】
なお、上述した本実施形態による水洗大便器１においては、いわゆる、「洗い落し式の水洗大便器」の形態に適用した例について説明したが、洗い落し式の水洗大便器以外の形態の水洗大便器に対しても適用可能である。
すなわち、洗い落し式の水洗大便器以外の形態の水洗大便器として、サイホン作用を利用してボウル内の汚物を吸い込んで排水トラップ管路から一気に外部に排出する、いわゆる、「サイホン式の水洗大便器」等に対しても適用可能である。
【符号の説明】
【００４７】
１        水洗大便器
２        便器本体
４        導水路
４ａ      導水路の入口
６        ボウル
６ａ      ボウル内の前端、ボウル面の前端
６ｂ      ボウル内の後端、ボウル面の後端
６ｃ      ボウル内の左端、ボウル面の左端
６ｄ      ボウル内の左端、ボウル面の左端
８        排水トラップ管路（排水路）
８ａ      排水トラップ管路の入口
８ｂ      排水トラップ管路の下降路
８ｃ      排水トラップ管路の上昇路
１０        洗浄水タンク装置（洗浄水源）
１０ａ      貯水タンク
１２        凹部（溜水部）
１２ａ      凹部の底壁面
１２ｂ      凹部の側壁面
１２ｃ      凹部の後壁面
１４        汚物受け面
１６        棚
１６ａ      棚面の外縁
１８        リム
１８ａ      リムの下縁、リムの下端、下側立壁面の下端
１８ｂ      リムの上面
１８ｃ      リムの下側立壁面の上端、リムの上側立壁面の下端
２０        第１リム吐水口（吐水部、第１吐水口）
２２        第２リム吐水口（吐水部、第２吐水口）
２４        共通通水路
２６        第１リム通水路
２８        第２リム通水路
２８ａ      第２リム通水路の入口
２８ｂ      第２リム通水路の外側通水路
２８ｃ      第２リム通水路の屈曲通水路
２８ｄ      第２リム通水路の内側通水路
３０        第１連結面（連結面）
３０ａ      第１連結面の下端
３０ｂ      第１連結面の上端
３２        第２連結面（連結面）
３２ａ      第２連結面の下端
３２ｂ      第２連結面の上端
Ｂ        ボウルの後方領域
Ｃ１      ボウル面の後方領域内の左右方向の中央領域
ｄ１      リムの最上端面の高さ位置から第１連結面の下端の高さ位置までの鉛直方向下方の第１所定距離
ｄ２      リムの最上端面の高さ位置から第１連結面の下端の高さ位置までの鉛直方向下方の第２所定距離
ｄ３      第１連結面の下端の高さ位置から上端の高さ位置までの鉛直方向の距離
ｄ４      第２連結面の下端の高さ位置から上端の高さ位置までの鉛直方向の距離
ｄ５      第１連結面の下端の高さ位置と第２連結面の下端の高さ位置との間の鉛直方向の距離
ｄ６      第１立壁面の下端から上端までの鉛直方向の距離（第１距離）
ｄ７      第２立壁面の下端から上端までの鉛直方向の距離（第２距離）
Ｌ        ボウルの左側方領域
Ｍ        汚物受け面と凹部との境界線
Ｆ        ボウルの前方領域
ｆ０      共通通水路の洗浄水の流れ
ｆ１      第１リム吐水口から吐水された洗浄水の流れ（旋回流）
ｆ２      第２リム吐水口から吐水された洗浄水の流れ
ｆ３      第２リム吐水口から吐水された洗浄水の大半の流れ
ｆ４      第２リム吐水口から吐水された洗浄水の一部の流れ
ｆ５      縦旋回流
Ｈ０      リムの最上端面の高さ位置
Ｈ１      第１連結面の下端の高さ位置（第１高さ位置）
Ｈ２      第２連結面の下端の高さ位置（第２高さ位置）
Ｈ３      第１連結面の上端の高さ位置
Ｈ４      第２連結面の上端の高さ位置
Ｈ５      ボウル面の後方領域内の左右方向の中央領域の第２連結面の下端の最低高さ位置
Ｏ        ボウルの中心
Ｐ１      ボウルの前端から水平前後方向の中心軸線に沿って所定距離後方のボウルの前方領域と左右側方領域との境界位置
Ｐ２      ボウルの後端から水平前後方向の中心軸線に沿って所定距離前方のボウルの後方領域と左右側方領域との境界位置
Ｐ３      第１リム吐水口の位置
Ｐ４      第２リム吐水口の位置
Ｐ５      凹部の後端位置
Ｐ６      溜水面の後端位置
Ｐ７      第１連結面の第１高さ位置
Ｐ８      第２連結面の第２高さ位置
Ｒ        ボウルの右側方領域
ｒ１      ボウルの前方領域のリムの内周面の平面視における前端付近の代表的な曲率半径
ｒ２      ボウルの後方領域のリムの内周面の平面視における後端付近の代表的な曲率半径
ｒ３      ボウルの左側方領域のリムの内周面の平面視における左端付近の代表的な曲率半径
ｒ４      ボウルの右側方領域のリムの内周面の平面視における右端付近の代表的な曲率半径
Ｓ        ボウル面
Ｓ１      リムの内周面（立壁面）
Ｓ２      凹部内の壁面
Ｓ３      汚物受け面の全面
Ｓ４      棚の表面（棚面）
Ｓ５      ボウル面の前方領域及左右側方領域における棚の外縁とリムの下縁との間の第１連結面の曲面
Ｓ６      ボウル面の後方領域における棚の外縁とリムの下縁との間の第２連結面の曲面
Ｓ７      第１立壁面
Ｓ８      第１立壁面の下側立壁面
Ｓ９      第１立壁面の上側立壁面
Ｓ１０    第１立壁面の上側立壁面の立ち上がり部
Ｓ１１    第１立壁面の上側立壁面のオーバーハング部
Ｓ１２    第２立壁面
Ｓ１３    第２立壁面の下側立壁面
Ｓ１４    第２立壁面の上側立壁面
Ｓ１５    第２立壁面の上側立壁面の立ち上がり部
Ｓ１６    第２立壁面の上側立壁面のオーバーハング部
Ｕ        第２リム通水路のＵターン部
Ｗ０      溜水
ＷＬ      溜水の水位（溜水面）
Ｘ        ボウルの水平左右方向の中心軸線
Ｙ        ボウルの水平前後方向の中心軸線
Ｙ０      ボウル内の前端から後端までの前後方向の全長距離
Ｙ１      ボウル内の前端から前方領域と左右側方領域との境界位置までの前後方向の距離
Ｙ２      ボウル内の後端から後方領域と左右側方領域との境界位置までの前後方向の距離
Ｙ３      ボウル内の前端から第１リム吐水口までの前後方向の距離
Ｙ４      ボウル内の後端から第２リム吐水口までの前後方向の距離
Ｚ        ボウルの中心を通る鉛直方向の中心軸線
ρ１      ボウルの前方領域及び左右側方領域における第１連結面の立面視における曲面の上下方向の曲率半径
ρ２      ボウルの後方領域における第２連結面の立面視における曲面の上下方向の曲率半径
【図１】
2019173324.tif 000003
【図２】
2019173324.tif 000004
【図３】
2019173324.tif 000005
【図４】
2019173324.tif 000006
【図５】
2019173324.tif 000007
【図６Ａ】
2019173324.tif 000008
【図６Ｂ】
2019173324.tif 000009
【図６Ｃ】
2019173324.tif 000010
【図６Ｄ】
2019173324.tif 000011
【図６Ｅ】
2019173324.tif 000012
【図６Ｆ】
2019173324.tif 000013
【図７】
2019173324.tif 000014
【図８】
2019173324.tif 000015